(57)【特許請求の範囲】
【請求項１】
映像記憶手段（３８）と、映像処理手段（３９）と、検出手段（２４）と、複数の映像出力端子（３５ｄ、ｅ）と、制御手段（３７ａ）とを備える楽音再生装置であって、
映像記憶手段（３８）は、少なくとも字幕映像を含む映像を記憶し、
映像処理手段（３９）は、映像記憶手段（３８）の映像と他の映像を合成して合成映像を生成可能とすると共に、複数の表示手段（８２、８３）に対して、映像記憶手段（３８）の映像、他の映像、合成映像の何れかを出力可能とし、
検出手段（２４）は、複数の映像出力端子（３５ｄ、ｅ）に接続された表示手段（８２、８３）の接続数を検出し、
制御手段（３７ａ）は、検出手段（２４）で検出した接続数に基づいて、接続される表示手段（８２、８３）に対して出力する映像を決定し、映像処理手段（３９）に出力させる楽音再生装置。
【請求項２】
制御手段（３７ａ）は、映像処理手段（３９）に入力される映像の数よりも検出手段（２４）が検出した接続数が少ない場合には、接続される少なくとも１つの表示手段（８２、８３）に合成映像を出力させる請求項１に記載の楽音再生装置。
【請求項３】
制御手段（３７ａ）は、映像処理手段（３９）が出力する映像を入力手段（３１）で選択された映像に切替え可能とする請求項１または２に記載の楽音再生装置。
【請求項４】
検出手段（２４）は、映像出力端子（３５ｄ、ｅ）の入力インピーダンスを検出して接続数を検出する請求項１乃至３の何れか１に記載の楽音再生装置。
【発明の詳細な説明】
【０００１】
【発明の属する技術分野】
本発明は、歌詞の字幕映像などを表示手段に表示するとともに、楽音をスピーカにより再生する楽音再生装置であって、上記歌詞の字幕映像以外の情報映像を表示手段に表示する楽音再生装置として好適なものに関する。
【０００２】
【従来の技術】
従来のカラオケ装置では、カラオケ機能のみに主眼が置かれており、背景映像および歌詞の字幕映像が、モニタ画面の主な表示内容であったが、最近では、歌う順番を待つ人の曲の予約状況、歌の上手さの採点結果、天気予報およびニュースなどの情報をモニタ画面に表示して提供する付加価値サービスが求められるようになった。
【０００３】
【発明が解決しようとする課題】
ところが、上記情報をカラオケ用の映像と共に、１台のモニタに全部表示すると、表示が乱雑になって見難くなる。
そこで、２台のモニタを使用し、カラオケ用の映像を表示するモニタと、カラオケ以外の情報を表示するモニタとに分けることや、１台のモニタに画面を分割して両方を表示することが考えられる。
しかし、１台のモニタで画面を分割して異なる映像を表示しており、モニタを増設して個々のモニタに異なる映像を表示しようとする場合、増設前のモニタに入力されていた映像出力と同じ出力を増設されたモニタに接続すると、総てのモニタに画面を分割した映像が表示されてしまうため、映像ソース毎に個別にモニタと接続しなければならないという問題がある。
【０００４】
また、逆に、複数台のモニタに異なる映像を表示しており、モニタを１台に減らして１台のモニタで画面を分割して異なる映像を表示したい場合、その異なる映像が画面に分割表示される装置を介するように接続をし直さなければならないという問題がある。
つまり、モニタの設置数を変更する毎に映像信号系統の配線をし直さなければならないという問題がある。
【０００５】
そこで、本発明は、上記諸問題を解決するためになされたものであり、楽音再生装置を構成する表示手段（モニタ）の接続数に応じて、配線のし直しなどを行わなくても、字幕映像および情報映像を合成して表示するか、個別に表示するかを判定し、その判定結果に基づいて上記各映像を上記モニタに表示することができる楽音再生装置を提供することを目的とする。
【０００６】
【課題を解決するための手段】
本発明は、上記目的を達成するため、請求項１に記載の発明では、映像記憶手段（３８）と、映像処理手段（３９）と、検出手段（２４）と、複数の映像出力端子（３５ｄ、ｅ）と、制御手段（３７ａ）とを備える楽音再生装置であって、映像記憶手段（３８）は、少なくとも字幕映像を含む映像を記憶し、映像処理手段（３９）は、映像記憶手段（３８）の映像と他の映像を合成して合成映像を生成可能とすると共に、複数の表示手段（８２、８３）に対して、映像記憶手段（３８）の映像、他の映像、合成映像の何れかを出力可能とし、検出手段（２４）は、複数の映像出力端子（３５ｄ、ｅ）に接続された表示手段（８２、８３）の接続数を検出し、制御手段（３７ａ）は、検出手段（２４）で検出した接続数に基づいて、接続される表示手段（８２、８３）に対して出力する映像を決定し、映像処理手段（３９）に出力させるという技術的手段を採用する。
【０００７】
請求項２に記載の発明では、請求項１に記載の楽音再生装置において、制御手段（３７ａ）は、映像処理手段（３９）に入力される映像の数よりも検出手段（２４）が検出した接続数が少ない場合には、接続される少なくとも１つの表示手段（８２、８３）に合成映像を出力させるという技術的手段を採用する。
【０００８】
請求項３に記載の発明では、請求項１または２に記載の楽音再生装置において、制御手段（３７ａ）は、映像処理手段（３９）が出力する映像を入力手段（３１）で選択された映像に切替え可能とするという技術的手段を採用する。
【０００９】
請求項４に記載の発明では、請求項１乃至３の何れか１に記載の楽音再生装置において、検出手段（２４）は、映像出力端子（３５ｄ、ｅ）の入力インピーダンスを検出して接続数を検出するという技術的手段を採用する。
【００１１】
【作用】
請求項１ないし４に記載の発明では、上記表示手段の接続数を検出するとともに、その検出結果に基づいて、接続される表示手段に対して出力する映像を決定し、映像処理手段に出力させる制御手段が備えられている。
したがって、接続されている表示手段の数に応じた配線、配線のし直しおよび映像信号出力系統の増設などを防止することができる。
【００１２】
特に、請求項２に記載の発明では、上記制御手段は、映像処理手段（３９）に入力される映像の数よりも検出手段（２４）が検出した接続数が少ない場合には、接続される少なくとも１つの表示手段（８２、８３）に合成映像を出力させるものであるため、上記他の映像の見落としなどを防止することができる。
【００１３】
また、請求項３に記載の発明では、上記制御手段により、映像処理手段が出力する映像を入力手段で選択された映像に切替えることができる。
【００１４】
さらに、請求項４に記載の発明では、上記検出手段は、映像出力端子の入力インピーダンスを検出して接続数を検出するため、表示手段の配線を行うだけで、上記各映像の合成表示、または、個別表示を行うことができる。
【００１６】
【発明の実施の形態】
以下、本発明の楽音再生装置の一実施形態について図を参照して説明する。
なお、以下の実施形態では、楽音再生装置として、通信回線を利用して曲を提供する、いわゆる通信カラオケ装置を代表に説明する。
図１は、本発明第１実施形態のカラオケ装置の主要構造を示す外観説明図、図２（ａ）は、図１に示すカラオケ装置に備えられた制御装置の前面パネルの説明図、同図（ｂ）は、制御装置の背面パネルの説明図、図３は、カラオケ装置の制御系の構成を示すブロック図である。
【００１７】
図１に示すように、カラオケ装置１０には、カラオケ用の映像、および曲の予約状況、利用者の店側に対する飲食物のオーダー内容などのカラオケに関する映像以外の情報映像を表示する表示手段としての、ＣＲＴモニタ（以下、モニタと略称する）２０と、リクエスト曲の設定、音程の変更（キーチェンジ）などの音声制御、ならびに、映像の切替え、合成、分割などの映像制御を行う制御装置３０が備えられている。
【００１８】
また、カラオケ装置１０には、制御装置３０から出力される音声信号の増幅、マイク７０から入力される音声とカラオケ曲とのミキシング、音声とカラオケ曲との音量バランス、高音、低音の制御（トーンコントロール）などを行うアンプ４０と、カラオケ用の背景映像が光情報として記憶された背景映像記憶手段としてのレーザーディスクプレーヤ（以下、ＬＤプレーヤと略称する）５０と、アンプ４０から出力される音声信号を音として再生する１組のスピーカ６０，６０とが備えられている。
さらに、ステージなどで歌い手のモニタ用として用いられる小型画面の表示手段としてのモニタ２２が設けられている。
【００１９】
次に、制御装置３０の構成について図２を参照して説明する。
図２（ａ）に示すように、制御装置３０の前面パネル３０ａには、利用者がリクエストする曲の番号、店側にオーダーする飲食物のメニューなどを入力するためのプッシュボタン３１が設けられている。このプッシュボタン３１は、０〜９までのテンキーおよびＡ〜Ｆまでのアルファベットキーから構成される選曲キー３１ａと、この選曲キー３１ａによって入力された曲番号を選択（確定）するための曲選択ボタン３１ｂと、選曲キー３１ａによって入力された曲番号の訂正を行うための訂正ボタン３１ｃと、モニタ２０の画面に表示される映像を切り替えるための画面切替ボタン３１ｄとから構成されている。
【００２０】
また、選曲キー３１ａの左方には、選曲キー３１ａによって入力される内容を７ｓｅｇ．ＬＥＤによって表示する曲番号表示体３２と、マイク７０のジャックを差し込むマイク端子３３とが設けられている。なお、本カラオケ装置１０は、ワイヤレスリモコン（図示省略）によっても、選曲や飲食物のオーダーなどを行うことができるようになっており、前面パネル３０ａには、ワイヤレスリモコンから送られる光信号を受ける受光部３０ｃが設けられている。
【００２１】
一方、図２（ｂ）に示すように、制御装置３０の背面パネル３０ｂには、カラオケ用の音楽信号および字幕映像信号から構成される曲データを受信するための電話回線８０（図３参照）を接続する電話回線接続端子３４が設けられており、その右方には、ＬＤプレーヤ５０の映像出力端子（図示省略）と接続されるカラオケ映像入力端子３５ａが設けられている。
【００２２】
この映像入力端子３５ａの右側には、利用時間の残り時間、天気予報、ニュースなどの店側から提供される情報（情報映像）を受信するための情報映像信号コード８１（図３参照）を接続する情報映像入力端子３５ｂが設けられており、その右側には、モニタ２０の映像入力端子（図示省略）と接続される映像出力端子３５ｃと、モニタ２２の映像入力端子（図示省略）と接続される映像出力端子３５ｄとが設けられている。また、映像回路３９ｅを介して店側に設けられたモニタ８３（図３参照）へ飲食物のオーダーなどのデータを出力するための映像出力端子３５ｅが設けられている。さらに、背面パネル３０ｂの左端には、アンプ４０の音声入力端子（図示省略）と接続される音声出力端子３６が設けられている。
【００２３】
次に、上記制御装置３０の制御系の構成について図３を参照して説明する。
制御装置３０には、音声および映像の入出力を制御するＣＰＵ３７ａが備えられており、このＣＰＵ３７ａには、上記プッシュボタン３１および曲番号表示体３２が接続されている。また、ＣＰＵ３７ａには、電話回線８０から入力される上記曲データを入力して、デジタル信号に変換する通信用モデム３７ｂと、ハードディスクメモリ３８とが接続されている。
【００２４】
このハードディスクメモリ３８には、ＣＰＵ３７ａの動作が記述されたプログラムメモリ領域３８ａと、上記通信用モデム３７ｂから出力される曲データを蓄積し、字幕映像記憶手段として機能する曲データメモリ領域３８ｂとが備えられている。また、ＣＰＵ３７ａには、曲データメモリ領域３８ｂに蓄積された曲データ中の音楽データを入力して、アンプ４０によって増幅可能なアナログの音楽信号に変換する音楽演奏回路３７ｃが接続されている。
【００２５】
さらに、ＣＰＵ３７ａには、モニタ２０および２２の入力インピーダンスを検出する接続状態検出手段および入力インピーダンス検出手段としての抵抗検出回路２４が接続されている。この抵抗検出回路２４は、モニタ２０，２２および８３へ映像信号を出力する映像出力端子３５ｃないし３５ｅに接続されており、それら映像出力端子の総インピーダンスをＣＲＴ２０および２２の入力インピーダンスとして検出する。そして、ＣＰＵ３７ａは、その検出値に基づいてモニタの接続数を演算し、その演算結果に基づいて次に述べる映像処理回路３９の制御を行う。
【００２６】
また、ＣＰＵ３７ａには、ＬＤプレーヤ５０から出力される背景映像データと、曲データ３８ｂ中の字幕映像データと、情報映像データ記憶部（情報映像記憶手段）８４から情報映像信号コード８１を介して送信される情報映像データとを入力するとともに、ビットマップデータに展開し、それら各映像の切替え、合成および分割などを行う映像処理回路（映像制御手段）３９が接続されている。さらに、映像処理回路３９の出力は、各映像出力端子３５ｃ〜３５ｅにそれぞれ接続されている。この映像処理回路３９の詳細な構成および動作については、次のカラオケ装置１０の動作説明の中で述べる。
【００２７】
次に、上記構成のカラオケ装置１０の一連の動作について図１ないし図７を参照して説明する。
まず、利用者が、カラオケ装置１０の電源スイッチをＯＮすると、モニタ２０，２２、制御装置３０、アンプ４０およびＬＤプレーヤ５０が起動する。そして、曲データを保有するホストコンピュータ８２から電話回線８０を介して曲データの受信が開始され、通信用モデム３７ｂによってデジタル信号に変換された後にハードディスクメモリ３８内の曲データメモリ領域３８ｂに蓄積される。
【００２８】
そして、利用者が、制御装置３０の前面パネル３０ａに設けられた選曲キー３１ａおよび曲選択ボタン３１ｂを操作して歌いたい曲の曲番号を設定すると、制御装置３０のＣＰＵ３７ａが、ハードディスクメモリ３８のプログラム領域３８ａ内の制御プログラムに従ってハードディスクメモリ３８内の曲データ３８ｂの中から上記設定された曲番号に対応する曲データを読出し、その読出した曲データ中の字幕映像データを映像処理回路３９へ、音楽データを音楽演奏回路３７ｃへそれぞれ出力する。
【００２９】
一方、ＬＤプレーヤ５０では、その中に記憶された複数の背景映像データの中から１つの背景映像がランダムに選択され、この選択された背景映像データは、映像入力端子３５ａを介して映像処理回路３９に入力される。そして、映像処理回路３９に入力された上記字幕映像データおよび背景映像データは、映像合成回路３９ａ（図４参照）によって合成される。その合成は、たとえば、図６のモニタ２０の画面に示すように、背景映像９０の中に字幕映像９１がスーパーインポーズされるように行われる。
【００３０】
また、マイク７０から入力された音声は、音声信号となって制御装置３０を介してアンプ４０に設けられたマイクミキシング回路（図示省略）に入力され、上記音楽データとミキシングされる。そして、そのミキシングデータは、音楽演奏回路３７ｃに入力されるとともに、アナログの音楽信号に変換されて音声出力端子３６を介してアンプ４０へ出力され、このアンプ４０により増幅された後にスピーカ６０，６０へ出力され、両スピーカ６０，６０によって音楽信号および音声信号が再生される。
このように、利用者は、自分の選曲した歌をモニタ２０の画面に映し出された背景映像および字幕映像を見ながらマイク７０を通して歌う（カラオケする）ことができる。
【００３１】
次に、モニタの接続数によってモニタ２０，２２の画面に表示される表示内容を切り替える制御について図５を参照して説明する。
図５は、ＣＰＵ３７ａによる上記制御内容を示すフローチャートである。なお、ここではモニタ２０に加えてモニタ２２を増設するものとし、カラオケの背景映像および字幕映像を映像１とし、予約曲および残り時間の映像を映像２とする。また、図５に示す制御は、モニタ２０および２２のそれぞれについて行われるものとする。
【００３２】
まず、ＣＰＵ３７ａでは、モニタ２２が接続されたか否かのウオッチングが、一定の周期（たとえば、１０〜１００ｍｓｅｃ）で行われている（ステップ１００）。モニタ２２を接続する前は、ステップ１００で否定判定されるため、映像合成の指示が出され（ステップ１４０）、図７のモニタ２０の画面に示すように、映像１および２の合成映像がモニタ２０に出力される（ステップ１５０）。そして、モニタ２２の映像入力端子（図示省略）を制御装置３０の背面パネル３０ｂの映像出力端子３５ｃに接続すると、その映像出力端子３５ｃのインピーダンスが変化し、その変化が抵抗検出回路２４によって検出信号として検出される。
【００３３】
そして、上記抵抗検出回路２４から出力される検出信号（たとえば、２値信号）のレベル変化（たとえば、ローレベルからハイレベルへの変化）がＣＰＵ３７ａによって検出され、モニタ２２が接続されたと判定される（ステップ１００）。続いて、モニタ２０および２２にどのような映像を表示するように設定されているのかの判定が行われる（ステップ１１０）。この設定内容は、予めハードディスクメモリ３８内の所定領域に格納しておくこともできるし、その内容を設定する設定回路を制御装置３０内に設け、その設定回路を作動するスイッチを制御装置３０の前面パネル３０ａに設けて、外部から設定内容を切り替えるように構成することもできる。
【００３４】
ここで、映像１をモニタ２０に表示するように設定されている場合には、映像処理回路３９内の映像合成回路３９ａによって、カラオケの背景映像と字幕映像とが合成され、その合成された映像がモニタ２０に表示される（図６のモニタ２０の画面を参照）。一方、モニタ２２の設定内容が、映像２を表示するものである場合には、予約曲および残り時間の情報映像がモニタ２２に表示される（図６のモニタ２２の画面を参照）。また、モニタ２０および２２の設定内容が、共に合成映像を表示するものである場合には、映像処理回路３９内の映像合成回路３９ａおよび映像分割回路３９ｃが作動し、図７に示すように、両モニタに映像１および映像３が画面上に個別の領域に表示（分割表示）される。
【００３５】
このように、本実施形態のカラオケ装置１０によれば、モニタ２２を増設したことが自動的に判定され、予め設定された表示内容を表示することができるため、制御装置３０と各モニタ間の映像ケーブルの配線をし直したり、映像出力系統を増設しなくても、モニタ２０およびモニタ２２に表示される映像を切り替えることができる。
特に、歌い手がステージ上でモニタ用として用いるモニタ２２は、モニタ２０よりも画面が小さいため、モニタ２０と同じ合成映像を表示すると、字幕映像中の歌詞が読み辛くなるという問題が生じるが、モニタ２０には、カラオケに関する映像のみを表示することができるため、歌い手に迷惑を掛ける心配がない。
【００３６】
また、制御装置３０の映像処理回路３９内には、上記ＣＰＵ３７ａの判定結果を変更する判定変更回路３９ｄが設けられており、この判定変更回路３９ｄは、上記画面表示切替ボタン３１ｄ、または、図示しない専用ボタンによって作動される。つまり、上記実施形態では、ＣＰＵ３７ａは、モニタ２２が増設されたことを検出し、モニタ２２には、カラオケに関する映像のみを表示する判定を行っているが、上記判定変更回路３９ｄを作動させることにより、上記判定結果とは異なる判定結果、たとえば、モニタ２２にもモニタ２０と同じ映像を表示する判定結果に変更することができる。
【００３７】
これにより、たとえば、カラオケをしている最中に緊急の電話がかかったり、火災などの緊急映像が店側から送られたりした場合には、その内容をモニタ２２にも表示して歌い手にも知らせることができる。
なお、上記実施形態では、モニタが２台の場合を説明したが、予め３台以上接続された場合のことを想定して、台数ごとのモニタの入力インピーダンスの合計値を求めておき、その合計値に対応した検出信号（たとえば、パルス信号のデューティ比を変化させた信号）を抵抗検出回路２４から出力させて、その検出信号の形態や大きさ（たとえば、デューティ比）によって、ＣＰＵ３７ａの制御内容を変えるようにすることもできる。
【００３８】
また、上記実施形態では、接続状態検出手段として、モニタの入力インピーダンスに基づいて、モニタの接続数を判別しているが、制御装置の各映像出力端子内にピンプラグの差し込みによってＯＮ、ＯＦＦするマイクロスイッチを設けて、そのスイッチングされる数によってモニタの接続数を判別するように構成することもできる。
さらに、テレビチューナの映像出力を情報映像信号コード８１に接続することにより、通常のテレビ放送をモニタ２０および２２の画面上に単独、または、分割表示することもできる。
【００３９】
そしてさらに、情報映像データ記憶部８４に、カラオケ装置１０を設置している店からのメッセージ、たとえば、時間延長料金、新曲情報、飲食物のメニューなどのデータを記憶させておき、モニタ２０の画面上に映し出すこともできる。この場合、ハードディスクメモリ３８内に情報映像データメモリ領域３８ｃを形成し（図３参照）、その領域に上記店側の情報を記憶させておくこともできる。また、歌唱力を採点する採点器が備えられる場合には、その採点結果を情報映像の１つとして表示することもできる。
【００４０】
なお、本発明の楽音再生装置は、曲データおよび背景データの両者を記憶したディスクを再生するＬＤプレーヤを用いてカラオケを行うカラオケ装置にも適用できることは勿論、カラオケを行わない、ＡＶ（オーディオ＆ビジュアル）装置などにも適用することができる。
【００４１】
【発明の効果】
以上のように、本発明によれば、楽音再生装置を構成する表示手段の接続数に応じて、映像信号系統の増設や配線のし直しを行うことなく、字幕映像および情報映像を合成して表示するか個別に表示するかを判定し、その判定結果に基づいて上記各映像を上記表示手段に表示することができる。
【図面の簡単な説明】
【図１】本発明第１実施形態のカラオケ装置の主要構造を示す外観説明図である。
【図２】（ａ）は、図１に示すカラオケ装置に備えられた制御装置の前面パネルの説明図であり、（ｂ）は、制御装置の背面パネルの説明図である。
【図３】カラオケ装置の制御系の構成を示すブロック図である。
【図４】図３に示す制御装置内の映像処理回路の説明図である。
【図５】制御装置内のＣＰＵの制御内容を示すフローチャートである。
【図６】モニタ２０および２２の画面上に映し出された映像を示す説明図である。
【図７】モニタ２０および２２の画面上に映し出された映像を示す説明図である。
【符号の説明】
１０    カラオケ装置
２０    モニタ
２４    抵抗検出回路
３０    制御装置
３７ａ  ＣＰＵ
３９    映像処理回路
３９ｄ  判定変更回路
４０    アンプ
５０    ＬＤプレーヤ
６０    スピーカ
７０    マイク
【図１】
0003561075.tif 000002
【図２】
0003561075.tif 000003
【図３】
0003561075.tif 000004
【図４】
0003561075.tif 000005
【図５】
0003561075.tif 000006
【図６】
0003561075.tif 000007
【図７】
0003561075.tif 000008